(57)【要約】      （修正有）【課題】  脚を起立時にしっかりと堅固に固定でき、脚の固定や固定解除操作を容易化でき、またコーナーに座ったとき脚が支障となることを防止する折畳み脚付きテーブルを提供する。【解決手段】脚２を、平行一対の支持材２ａと、支持材２ａの上端部に横架している連結材２ｂと、下端部に横架している接地材２ｃとで形成する。脚固定装置４を、天板１の裏面１ａに枢着している棒状材４ａと、この棒状材４ａの先端側を連結材２ｂに天板１の下方から押し付けて脚２を天板１に固定するバネ４ｂとを備えて形成する。支持材２ａを接近状に配置して支持材２ａの間隔を狭める。棒状材４ａの基端側を脚２の固定状態を解除するための手押し操作部４ｃに形成する。この手押し操作部４ｃをバネ圧に抗して押圧することにより棒状材４ａの先端側を、枢着箇所６を中心に天板１の下方に回動可能に形成する。【選択図】図１
0003160625.tif 000002
【実用新案登録請求の範囲】
【請求項１】
天板の両側の裏面に折畳み自在に設けられている脚が、平行一対の支持材と、この支持材の上端部に横架されている連結材と、下端部に横架されて支持材の間隔方向に沿って支持材の外側に突き出されている接地材とで形成され、この脚を天板に固定するための脚固定装置が、天板の裏面に枢着されている棒状材と、この棒状材の先端側を上記の連結材に天板の下方から押し付けて脚を天板に固定するバネとを備えて形成されている折畳み脚付きテーブルであって、上記の支持材が接近状に配置されて支持材の間隔が狭められ、上記の棒状材の基端側が脚の固定状態を解除するための手押し操作部に形成され、この手押し操作部をバネ圧に抗して押圧することにより棒状材の先端側が枢着箇所を中心に天板の下方に回動可能に形成されていることを特徴とする折畳み脚付きテーブル。
【請求項２】
請求項1記載の折畳み脚付きテーブルであって、棒状材が長板状に形成され、手押し操作部が扁平状に形成されていることを特徴とする折畳み脚付きテーブル。
【請求項３】
請求項1又は２記載の折畳み脚付きテーブルであって、脚の起立時に、棒状材が係合する連結材の箇所が、カバーで覆われていることを特徴とする折畳み脚付きテーブル。
【考案の詳細な説明】
【技術分野】
【０００１】
本考案は、折畳み脚付きテーブルに関し、更に詳しくは天板の裏面に枢着した脚を、不使用時は折畳むことができるよう形成した折畳み脚付きテーブルに関するものである。
【背景技術】
【０００２】
従来、この種のテーブルとしては、例えば特許文献１に記載されているものがある。
この従来品は、脚を、起立状態と天板裏面に折畳んだ状態とに保持するための脚固定機構を備え、この脚固定機構が先端にフックを設けた回転可能な操作棒と、この操作棒を天板裏面に常時押し付けているコイルバネとで形成されている。
この従来品の場合、脚は、起立状態では左右の脚材を連結する上連結用角材にフックが下側から嵌まり込むことにより保持され、また折畳んだ状態では、操作棒によって天板裏面に押し付けられて保持される。
【０００３】
而して、特許文献１に記載の従来品は、脚を形成する平行一対状の脚材の間隔が大きく開けられていたから、左右の脚材の間に脚固定機構を配置して操作棒で上連結用角材の中間位置を押圧すると、脚材の上端へのバネ圧の伝わりが悪かった。
従って従来品によると、脚が不安定でぐらつき易い、という問題点があった。
【０００４】
また従来品は、操作棒の基端を天板の裏面に枢着していたから、先端のフックを上連結用角材から外すときは、例えばフックを持って操作棒を引き起こす必要があった。
従って従来品によると、脚の固定状態の解除操作が不便で、使い勝手が悪い、という問題点があった。
【０００５】
また従来品は、上記の通り、平行一対状の脚材の間隔が大きく開けられていた。
そのため従来品は、天板のコーナー位置に使用者が座ると、前後の脚材が支障となり易かったから、コーナー位置に座り難い、という問題点があった。
【先行技術文献】
【特許文献】
【０００６】
【特許文献１】実用新案登録第３０５６８２２号公報
【考案の概要】
【考案が解決しようとする課題】
【０００７】
本考案は、このような従来品の問題点に鑑み、提案されたものである。
従って本考案の解決しようとする技術的課題は、脚を起立時にしっかりと堅固に固定でき、脚の固定や固定解除操作を容易化でき、またコーナーに座ったとき脚が支障となることを防止できるよう形成した使い勝手の良い折畳み脚付きテーブルを提供することにある。
【課題を解決するための手段】
【０００８】
本考案は、上記の課題を解決するため、次のような技術的手段を採る。
即ち、本考案は、図１等に示されるように、天板１の両側の裏面１ａに折畳み自在に設けられている脚２が、平行一対の支持材２ａと、この支持材２ａの上端部に横架されている連結材２ｂと、下端部に横架されて支持材２ａの間隔方向に沿って支持材２ａの外側に突き出されている接地材２ｃとで形成され、この脚２を天板１に固定するための脚固定装置４が、天板１の裏面１ａに枢着されている棒状材４ａと、この棒状材４ａの先端側を上記の連結材２ｂに天板１の下方から押し付けて脚２を天板１に固定するバネ４ｂとを備えて形成されている折畳み脚付きテーブルであって、上記の支持材２ａが接近状に配置されて支持材２ａの間隔が狭められ、上記の棒状材４ａの基端側が脚２の固定状態を解除するための手押し操作部４ｃに形成され、この手押し操作部４ｃをバネ圧に抗して押圧することにより棒状材４ａの先端側が枢着箇所６を中心に天板１の下方に回動可能に形成されていることを特徴とする（請求項１）。
【０００９】
本発明の場合、脚２の長さ（高さ）は自由であり、例えば座卓として利用できるよう、脚２が短く形成されているのでも良い。またバネ４ｂは、引っ張りバネでも、圧縮バネでも良い。
【００１０】
而して、本考案は、上記の棒状材４ａが長板状に形成され、手押し操作部４ｃが扁平状に形成されているのが好ましい（請求項２）。
なぜならこれによると、手押し操作部４ｃを棒状材４ａの延長箇所で簡単且つ安価に形成でき、また扁平状であるため、例えば掌で押して脚２の固定状態を解除でき、使い勝手が良くなるからである。
【００１１】
また本考案は、脚２の起立時に、棒状材４ａが係合する連結材２ｂの下端箇所が、カバー５で覆われているのが好ましい（請求項３）。
なぜならこれによると、棒状材４ａとの擦接で、連結材２ｂの下端箇所が損傷することを防止でき、脚２の耐久性を向上できるからである。
【考案の効果】
【００１２】
本考案は、このように折畳み脚付きテーブルにおいて、支持材の間隔を狭めて脚を形成し、また棒状材の基端側を、脚の固定状態を解除するための手押し操作部に形成し、この手押し操作部をバネ圧に抗して押圧することにより棒状材の先端側を、枢着箇所を中心に天板の下方に回動可能に形成しているものである。
従って本考案によれば、折畳み脚を起立時にしっかりと堅固に固定でき、脚の固定や固定解除操作を容易化でき、またコーナーに座ったとき脚が支障となることを防止できる、という実用上優れた効果を奏する。
【図面の簡単な説明】
【００１３】
【図１】本考案のテーブルの好適な一実施形態を示す要部斜視図である。
【図２】同上テーブルの正面図である。
【図３】同上テーブルの脚折畳み時の正面図である。
【図４】同上テーブルの要部底面図である。
【図５】図４のＶ−Ｖ線における要部断面図である。
【図６】同上テーブルの脚折畳み時の要部斜視図である。
【図７】同上テーブルの脚折畳み時の要部底面図である。
【図８】図７のＶＩＩＩ−ＶＩＩＩ線における要部断面図である。
【考案を実施するための形態】
【００１４】
以下、本考案を実施するための好適な一実施形態を、添付図面に従って説明する。
本考案は、図１〜図３等に示されるように、天板１の両側の裏面１ａに脚２が折畳み自在に設けられている。
【００１５】
脚２は、平行一対の支持材２ａと、この支持材２ａの上端部に横架されている連結材２ｂと、下端部に横架されて支持材２ａの間隔方向に沿って支持材２ａの外側に突き出されている接地材２ｃとで形成されている。この場合、支持材２ａは、接近状に配置されて支持材２ａの間隔が狭められている。また支持材２ａの上端と天板１の裏面１ａとは、ヒンジ３で枢着され、脚２は、天板１の内方に折畳みが可能になるよう形成されている。
【００１６】
４は、脚２を天板１に固定するための脚固定装置である。この脚固定装置４は、天板１の裏面１ａに枢着されている棒状材４ａと、この棒状材４ａの先端側を上記の連結材２ｂに天板１の下方から押し付けて脚２を天板１に固定するバネ４ｂとを備えて形成されている。
【００１７】
上記の棒状材４ａは、この実施形態では長板状に形成されている。また本考案品は、図１等に示されるように、脚２の起立時に、棒状材４ａの先端４ａ１が係合する連結材２ｂの下端箇所には、断面コの字状のカバー５が嵌め込まれている。なお棒状材４ａの先端４ａ１は、天板１の下方から連結材２ｂの下端箇所に嵌まり込むよう、フック状に形成されている。またバネ４ｂは、棒状材４ａの先端側を天板１の裏面１ａ側に、常時、牽引するよう、この実施形態では引っ張りコイルバネで形成されている。
【００１８】
また棒状材４ａの基端側は、脚２の固定状態を解除するための手押し操作部４ｃに形成されている。この手押し操作部４ｃは、この実施形態では掌で押して脚２の固定状態を解除し易くなるよう、扁平状に形成されている。
【００１９】
本考案は、上記の手押し操作部４ｃをバネ圧に抗して使用者が押圧することにより、棒状材４ａの先端側が、枢着箇所６としての横軸を中心に天板１の下方に回動して脚２の固定状態を解除できるものである。なお棒状材４ａは、天板１の裏面１ａにネジ止めされている取付部７に枢着されている。
【００２０】
次に、この実施形態の本考案品の作用を説明する。
先ず、図１、図２に示されるように脚２が起立した状態から、脚２を折畳む場合を説明する。
この場合は、棒状材４ａの手押し操作部４ｃを、使用者は、例えば掌でバネ４ｂの牽引力に抗して天板１側に押し込む。
【００２１】
すると、棒状材４ａのフック状の先端４ａ１が、枢着箇所６を中心に天板１から離れるよう回動し、連結材２ｂとの係合状態が解かれる。そこで使用者は、この状態で、脚２を内方に回して折畳み、天板１の下側に配置する（図３、図６等参照）。
すると、図６、図８に示されるように、棒状材４ａの先端側が、連結材２ｂの下面を当圧し、脚２がバネ４ｂの復元力で天板１に固定される。
【００２２】
次に、折畳まれた脚２を引き起こしてテーブルとして使用する場合の作用を説明する。
この場合は、脚２を、使用者はバネ４ｂの牽引力に抗して外側に引き起こす。すると、脚２はヒンジ３を介して回動し、引き起こすのに連れ、棒状材４ａの先端側が連結材２ｂによって天板１の裏面１ａから押し離される。
【００２３】
そして、脚２が天板１と直角になると、連結材２ｂの下端箇所に、棒状材４ａのフック状の先端４ａ１がカバー５を介して嵌り込み、これにより脚２がバネ４ｂの復元力で固定される（図１の状態参照）。この場合、本考案品は、支持材２ａの間隔が狭められ、連結材２ｂが短く形成されているため、バネ４ｂの復元力（牽引力）が支持材２ａの上端に集中して効率良く伝わり、その結果、脚２がしっかりと堅固に固定される。
【符号の説明】
【００２４】
１    天板
１ａ  裏面
２    脚
２ａ  支持材
２ｂ  連結材
２ｃ  接地材
３    ヒンジ
４    脚固定装置
４ａ  棒状材
４ｂ  バネ
４ｃ  手押し操作部
５    カバー
６    枢着箇所
７    取付部
【図１】
0003160625.tif 000003
【図２】
0003160625.tif 000004
【図３】
0003160625.tif 000005
【図４】
0003160625.tif 000006
【図５】
0003160625.tif 000007
【図６】
0003160625.tif 000008
【図７】
0003160625.tif 000009
【図８】
0003160625.tif 000010